(57)【要約】【課題】コンテンツの量や種類が増加しコンテンツの分類が定かでない場合でも、コンテンツの検索が簡単で再生を希望するコンテンツを容易に選択することが出来る、コンテンツ再生装置を提供する。【解決手段】複数のコンテンツがそれぞれ関連づけられた複数の識別情報と共に記録されているコンテンツ記憶手段２と、コンテンツ記憶手段２とは異なる着脱可能な記録媒体に少なくとも識別情報を記録する記録手段６と、異なる着脱可能な記録媒体より再生した識別情報と一致するコンテンツ記憶手段２に記録されている識別情報を検索する検索手段３と、検索手段３で検索された識別情報に関連付けられたコンテンツをコンテンツ記憶手段２より再生する再生手段５と、を備えている。【選択図】      図１
2007294025.tif 000002
【特許請求の範囲】
【請求項１】
複数のコンテンツがそれぞれ関連づけられた複数の識別情報と共に記録されているコンテンツ記憶手段と、
前記コンテンツ記憶手段とは異なる着脱可能な記録媒体に少なくとも前記識別情報を記録する記録手段と、
前記異なる着脱可能な記録媒体より再生した識別情報と一致する前記コンテンツ記憶手段に記録されている識別情報を検索する検索手段と、
前記検索手段で検索された識別情報に関連付けられた前記コンテンツを前記コンテンツ記憶手段より再生する再生手段と、
を備えたことを特徴とするコンテンツ再生装置。
【発明の詳細な説明】
【技術分野】
【０００１】
本発明は、複数のコンテンツがそれぞれ関連付けられた識別情報と共に記録されているコンテンツ記憶装置から、このコンテンツ記憶装置とは異なる記録媒体に記録されている識別情報を用いてコンテンツを再生するコンテンツ再生装置に関するものである。
【背景技術】
【０００２】
従来のコンテンツ再生装置は、特許文献１に記載されているように、コンテンツ記憶装置に記憶された多数のコンテンツを、類似している内容別に分類して一覧表を作成し、その一覧表を表示してその中から所定の順番により必要とするコンテンツを検索していた。
図７に、従来のコンテンツ再生装置の概要を示す。
【０００３】
図７に示すように、従来のコンテンツ再生装置１００は、コンテンツ記憶装置１０１と、識別情報検索部１０２と、検索抽出部１０３と、再生部１０４と、から構成されている。
そして外部に表示部１０５を接続することによりコンテンツ再生装置１００で再生されたコンテンツを表示するシステムを形成していた。
【０００４】
コンテンツ記憶装置１０１は、外部から入力したコンテンツ（例えばＡ１，Ｂ，Ａ２、Ｃ）にコンテンツを識別する識別情報を付加して記憶し、次に付加した識別情報を指定することにより記憶したコンテンツが読み出され、表示部１０５で表示される。
【０００５】
識別情報検索部１０２は、コンテンツがコンテンツ記憶装置１０１に記憶される際に付加される識別情報を検索し、表示部１０５に表示する。検索された識別情報は、識別情報抽出部１０２に格納されている内容別に分類した一覧表を読み出して、検索した識別情報をこの一覧表に沿って分類し修正してコンテンツ記憶装置１０１に戻す。
【０００６】
コンテンツの分類の一覧表（例えば、映画・バラエティ・スポーツ・お好み・ＬＩＶＥ等）は識別情報検索部１０２に格納しておき、コンテンツを記憶する際に、まずこの分類の一覧表を再生して表示部１０５に表示させ、記憶するコンテンツに合った分類を選択する。そして、一覧表から選択した分類を指定すると、次に項目の一覧表（例えば分類がスポーツであれば、野球・バレー・バスケット・ゴルフ等）を表示してその中から記憶するコンテンツに合った項目を選択する。次に、分類、項目と選択されたコンテンツに識別する識別情報を、図示していないリモコンから入力して生成し、この生成した識別情報を識別情報検索部１０２の分類の一覧表に格納すると共にコンテンツに付加してコンテンツ記憶装置１０１に記憶する。
【０００７】
そして、表示装置１０５に表示された複数の識別情報の中から図示していないリモコンにより、再生しようとする識別情報を検索抽出部１０３で選択すると、選択された識別情報は再生部１０４へ送られ、この識別情報によりコンテンツ記憶装置１０１に記憶された多数のコンテンツの中から再生したいコンテンツを読みだして再生し表示部１０５で表示する。
【０００８】
検索抽出部１０３は、識別情報検索部でコンテンツ記憶装置１０１から読み出された識別情報の中から再生するコンテンツの識別情報を抽出する。
再生部１０４は、検索抽出部１０３で抽出された識別情報から、コンテンツ記憶装置１０１のタイミングにあわせてコンテンツを検索し、この検索したコンテンツを読み出して再生する。
【０００９】
表示部１０５は、コンテンツ記憶装置１０１から再生されるコンテンツや、識別情報検索部で検索された識別情報や、識別情報の一覧表等を表示する。
【００１０】
次に、その動作について図８を用いて説明する。
（コンテンツ記憶装置１０１にコンテンツを記憶させる場合について）
図８（ａ）に示すように、コンテンツ再生装置１００と表示部１０５の電源を入れ動作状態にする。
【００１１】
そして、図示していないリモコン操作により、コンテンツ再生装置１００を、コンテンツ記録、に設定し、コンテンツ記憶装置１０１に、外部からコンテンツを入力する。（Ｓ２０）
次に、表示部１０５に表示される（記録）を図示していないリモコン操作によりＹＥＳにする。（Ｓ２１）
（（記録）をＮＯにするとコンテンツは記録されず終了する。）
【００１２】
次に、コンテンツの識別情報をコンテンツ（例えばＡ１，Ｂ，Ａ２，Ｃ）に付加する。（Ｓ２２）
そして、この識別情報を付加したコンテンツをコンテンツ記憶装置１０１に記憶する。識別情報はコンテンツに含まれる画像の一部を抽出して使用するか、あるいは、コンテンツの分類の一覧表に沿って生成する。（Ｓ２３）
【００１３】
（コンテンツを再生する場合について）
次に、図示していないリモコンを操作して、コンテンツ再生装置１００をアクセスしてコンテンツ再生に設定すると、識別情報検索部１０２から、コンテンツ記憶装置１０１に記憶されている複数の識別情報が検索され、この検索された識別情報が表示部１０５に表示される。（Ｓ３０）
表示部１０５に表示された複数のコンテンツの識別情報から検索抽出部１０３で再生するコンテンツの識別情報を選択する。（Ｓ３１）
【００１４】
識別情報検索部１０２に格納されている識別情報の分類の一覧表を用いる場合は、まず、コンテンツの分類表を図示されていないリモコンで読み出し、再生するコンテンツに合った分類を選択する。そして、再生するコンテンツの分類を選択すると、次に項目の一覧表が表示されるので、その中から再生するコンテンツに合った項目を選択する。
次に、選択した項目の中に含まれるコンテンツの識別情報を表示させて、図示されていないリモコンの操作により再生する識別情報を選択する。
【００１５】
この選択された識別情報から、再生部１０４においてコンテンツ検索抽出情報を生成する。（Ｓ３２）
そして、生成されたコンテンツ検索情報がコンテンツ記憶装置１０１に加えられ、希望するコンテンツが検索されて読み出され再生される。（Ｓ３３）
【特許文献１】特開２００５−３９５６７号公報
【発明の開示】
【発明が解決しようとする課題】
【００１６】
しかしながら、上述したように、再生するコンテンツを検索するには、まず、コンテンツ記憶装置１０１に記憶されている数多くのコンテンツの識別情報から希望するコンテンツの識別情報を抽出して選択しなければならず、このコンテンツの識別情報の選択に時間がかかり、間違いも多いという問題点があった。
また、コンテンツを分類した一覧表の中から所望のコンテンツの識別情報を選択する場合でも、コンテンツの量や種類が増加するのに従って一覧表の分類が複雑になり、コンテンツの分類が定かでない場合の検索はより困難になるという問題点があった。
【００１７】
そこで、本発明は、上記のような問題点を解消するためになされたもので、コンテンツの量や種類が増加しコンテンツの分類が定かでない場合でも、コンテンツの検索が簡単で再生を希望するコンテンツを容易に選択することが出来る、コンテンツ再生装置を提供することを目的とする。
【課題を解決するための手段】
【００１８】
本願発明は、複数のコンテンツがそれぞれ関連づけられた複数の識別情報と共に記録されているコンテンツ記憶手段と、前記コンテンツ記憶手段とは異なる着脱可能な記録媒体に少なくとも前記識別情報を記録する記録手段と、前記異なる着脱可能な記録媒体より再生した識別情報と一致する前記コンテンツ記憶手段に記録されている識別情報を検索する検索手段と、前記検索手段で検索された識別情報に関連付けられた前記コンテンツを前記コンテンツ記憶手段より再生する再生手段と、を備えたことを特徴とするコンテンツ再生装置を提供するものである。
【発明の効果】
【００１９】
本発明のコンテンツ再生装置によれば、複数のコンテンツがそれぞれ関連づけられた複数の識別情報と共に記録されているコンテンツ記憶手段と、コンテンツ記憶手段とは異なる着脱可能な記録媒体に少なくとも識別情報を記録する記録手段と、異なる着脱可能な記録媒体より再生した識別情報と一致するコンテンツ記憶手段に記録されている識別情報を検索する検索手段と、検索手段で検索された識別情報に関連付けられたコンテンツをコンテンツ記憶手段より再生する再生手段と、を備えているので、コンテンツの量や種類が増加しコンテンツの分類が定かでない場合でも、コンテンツの検索が簡単で再生を希望するコンテンツを容易に選択することが出来る。
【発明を実施するための最良の形態】
【００２０】
以下に本発明の実施形態に係るコンテンツ再生装置について図１〜図６を用いて説明する。尚、従来例と同様の識別情報の分類やコンテンツの記録再生の説明は省略するものとする。
図１は、本発明の実施形態に係るコンテンツ再生装置の概要を示す図である。
図２は、コンテンツの記録時の説明を行うための概要を示す図である。
図３は、コンテンツの記録時の説明を行うためのフローチャートを示す図である。
図４は、識別情報を記録媒体に記録する際の説明を行うための図を示し、（Ａ）はコンテンツ再生装置を用いて識別情報を記録媒体に記録する状態を示す図であり、（Ｂ）はパソコン等の機材を用いて識別情報を記録媒体に記録する場合を示す図であり、（Ｃ）は識別情報を記録する記録媒体を示す図である。
図５は、記録媒体におけるコンテンツ再生の説明を行うためのフローチャートを示す図であり、（Ａ）は記録媒体に再生用識別情報を記録する場合を示す図であり、（Ｂ）は記録媒体から再生用識別情報を再生してコンテンツを検索／再生する場合を示す図である。
図６は、記録媒体に記録された識別情報を読み出してコンテンツを再生する際の説明を行うための図である。
【００２１】
図１に示すように、本発明の実施形態に係るコンテンツ再生装置１は、コンテンツ記憶装置（コンテンツ記憶手段）２と、識別情報検索部(検索手段)３と、検索抽出部４と、再生部（再生手段）５と、識別情報記録部（記録手段）６と、から構成される。
そして、このコンテンツ再生装置１は、表示部７に接続されてシステムを構成している。
【００２２】
コンテンツ記憶装置２は、外部から入力したコンテンツに識別情報を付加して記憶し、
主として大容量のハードティスク、光ディスク等のディスク状記録媒体の記録再生を行う複数の記憶再生装置により構成される。
識別情報は、コンテンツを識別するための情報であり、ＩＤコード、識別番号やタイトル、記憶された日時などであり、コンテンツの画像の一部を抽出して縮小したものも含まれる。
【００２３】
識別情報検索部３は、コンテンツ記憶装置２に記憶された複数のコンテンツの識別情報を検索する。一方で分類表を格納しておき、この分類表に従って識別情報を修正してコンテンツ記憶装置２に戻す。また、記録媒体に記録する再生用識別情報を、検索した複数のコンテンツの識別情報から選択する。
検索抽出部４は、識別情報検索部３で検索された識別情報から再生するコンテンツの識別情報を抽出する。
【００２４】
再生部５は、検索抽出部４で抽出された再生するコンテンツの識別情報を一旦格納し、この格納した識別情報をコンテンツ記憶装置２からコンテンツを読み出すタイミングにあわせたコンテンツ検索情報に生成する。この生成されたコンテンツ検索情報をコンテンツ記憶装置２に加えることにより、コンテンツ記憶装置２から再生するコンテンツを読み出す。
【００２５】
識別情報記録部６は、識別情報検索部３で選択された再生用識別情報を記録媒体に記録する。そして、記録媒体に記録されている再生用識別情報を再生することにより、コンテンツ記憶部２に記憶されているコンテンツが再生される。
【００２６】
再生用識別情報が記録される記録媒体は、主として光ディスク、磁気テープ、磁気ディスク等の着脱可能な記録媒体（以下記録媒体と略す）で構成される。再生用識別情報の記録が終了した記録媒体は識別情報記録部６から外部に取り出され、再生時に再び識別情報記録部６に装着される。
【００２７】
次に、図４（Ｂ）に示す、パソコン１０は、再生用識別情報が記録可能な記録媒体に識別情報が記録できる記録媒体記録再生部１１を内蔵しており、コンテンツ再生装置１で用いられる記録媒体に再生用識別情報を記録する。
【００２８】
そして、図４（Ｃ）に示す、記録媒体１１ａは、コンテンツ再生装置１で用いられる記録媒体と同等の記録媒体であり、コンテンツ再生装置１とパソコン１０で共用して用いられる記録媒体であり、光ディスク、磁気テープ、磁気ディスク等の着脱可能な記録媒体で形成される。
【００２９】
次に、動作について図２，図３、図４、図５、図６を併せ用いて説明する。
（コンテンツをコンテンツ記憶装置２に記憶する場合について説明する）
（このコンテンツをコンテンツ記憶装置２に記憶する動作は従来と同じである。）
図２において、まず、コンテンツ再生装置１と表示部７を接続してから電源を入れ、コンテンツ再生装置１と表示部７を動作状態にする。
【００３０】
まず、図示しないリモコンの操作によりコンテンツ再生装置１をコンテンツ記憶に設定して、コンテンツ記憶装置２に外部の入力部から動画像や静止画像等のコンテンツを入力する。（Ｓ１）
【００３１】
表示部７に、（記憶）が表示されるからコンテンツ記憶装置２にコンテンツを記憶する際には、図示しないリモコンの操作によりＹＥＳを選択する。（記憶しない場合はＮＯを選択して終了する）（Ｓ２）
コンテンツに識別情報（コンテンツの画像の一部）が付加される。（Ｓ３）
コンテンツ記憶装置２に識別情報が付加されたコンテンツが記憶される。（Ｓ４）
【００３２】
（記録媒体に識別情報を記録する場合について説明する）
次に、図４に示すように、コンテンツ再生装置１を図示しないリモコンによりコンテンツ再生に設定する。
【００３３】
コンテンツ記憶装置２から識別情報検索部３により識別情報が読み出され、読み出された識別情報は表示部７に表示される。（Ｓ５）
そして、表示部７には（記録媒体）もあわせて表示されるから、図示しないリモコンによりＹＥＳを選択する。（Ｓ６）
【００３４】
次に、表示部７に表示されている識別情報の中から所定の希望するコンテンツの識別情報を再生用識別情報として生成する。（Ｓ７）
そうすると、生成された再生用識別情報が識別情報記録部６で記録媒体に記録される。（Ｓ８）
【００３５】
このようにして記録媒体に所定の希望するコンテンツの識別情報である再生用識別情報が記録される。
この再生用識別情報は、コンテンツ再生装置１の代わりに他の記録媒体に記録できる記録媒体記録装置により、再生用識別情報を記録媒体に記録してもよい。
【００３６】
例えば図４（Ｂ）に示すように記録媒体に記録できる記録媒体記録再生部１１を有するパソコン１０を用いて、コンテンツ再生装置１と共用して用いることの出来る記録媒体１１ａに再生用識別情報を記録する。
【００３７】
また、図４（Ｃ）に示すように再生用識別情報が記録された記録媒体１１ａの表面にコンテンツの内容を示す文字や画像を、図示されていないパソコン１０に接続されている記録媒体用の印刷装置を用いて印刷して、記録媒体に記録された識別情報を識別しやすくしてもよい。
【００３８】
（コンテンツを再生する場合について説明する）
次に、図６に示すように、コンテンツ記憶装置２に記憶されたコンテンツを再生する。
まず、コンテンツ再生装置１を図示しないリモコンの操作によりコンテンツ再生に設定する。
【００３９】
そして、図５（Ｂ）に示すように、コンテンツ再生装置１を図示しないリモコンによりコンテンツ再生に設定する。（Ｓ１１）
そうすると、表示部７に、コンテンツ記憶装置２に記憶されている識別情報が識別情報検索部３により検索されて表示部７に入力され、（記録媒体）も合わせて表示されるから図示しないリモコンによりＹＥＳを選択する。（Ｓ１２）
【００４０】
この選択により、コンテンツ再生装置１は、図６に示すような識別情報記録部６から記録媒体に記録されている識別情報を再生する状態に設定される。（Ｓ１３）
【００４１】
次に、識別情報記録部６に記録媒体を設置すれば、識別情報記録部６より記録媒体に記録された再生用識別情報が再生され検索用抽出部４経由で再生部５に加えられてコンテンツ記憶装置２からコンテンツを読み出すタイミングにあわせたコンテンツ検索情報が生成される。この生成されたコンテンツ検索情報をコンテンツ記憶装置２に加えて、コンテンツ記憶装置２から再生用識別情報と一致する識別情報を有するコンテンツが読み出されて再生され、表示部７に表示される。（Ｓ１４）
【００４２】
このようにして、着脱可能な記録媒体を識別情報の記録再生に用いることにより、容量の少ない情報でコンテンツ記憶装置２に記憶されたコンテンツの再生を容易に行うことができる。さらに、記録媒体が挿入された時からコンテンツの再生までを自動的に行うこともできる。また着脱可能な記録媒体の表面に識別情報に応じた文字や画像をパソコンに接続された印刷装置で印刷しておけば識別が容易になるのはもちろんである。
【００４３】
特に、コンテンツ記憶装置２に記憶するコンテンツが増加し、かつ、コンテンツの分類の一覧表に含まれない分類のコンテンツをコンテンツ記憶装置２に記憶後、素早く再生しようとする場合は、予め再生用識別情報としてコンテンツの記録時に選択して識別情報記録部６で記録媒体に記録しておけば、再生時には、この記録媒体を識別情報記録部６に装着することによりコンテンツの分類の一覧表に含まれない分類のコンテンツでも即時に再生できる。
【００４４】
記録媒体は、識別情報記録部６からの着脱が可能で低容量の識別情報が記録できればよいので、光ディスク、磁気テープ等のコンテンツを記録できる記録媒体のほかに、低容量の磁気ディスク、ＩＣメモリ等を利用してもよい。さらに、識別情報をバーコードとして記録紙に印刷し、これをスキャナーやデジタルカメラで光学的に読み取って利用してもよい。
【００４５】
以上述べてきたように、本発明の実施形態によれば、コンテンツの量や種類が増加しコンテンツの分類が定かでない場合でも、コンテンツの検索が簡単で再生を希望するコンテンツを容易に選択することが出来る。
【図面の簡単な説明】
【００４６】
【図１】本発明の実施形態に係るコンテンツ再生装置の概要を示す図である。
【図２】コンテンツの記録時の説明を行うための概要を示す図である。
【図３】コンテンツの記録時の説明を行うためのフローチャートを示す図である。
【図４】識別情報を記録媒体に記録する際の説明を行うための図を示し、（Ａ）はコンテンツ再生装置を用いて識別情報を記録媒体に記録する状態を示す図であり、（Ｂ）はパソコン等の機材を用いて識別情報を記録媒体に記録する場合を示す図であり、（Ｃ）は識別情報を記録する記録媒体を示す図である。
【図５】記録媒体におけるコンテンツ再生の説明を行うためのフローチャートを示す図であり、（Ａ）は記録媒体に再生用識別情報を記録する場合を示す図であり、（Ｂ）は記録媒体から再生用識別情報を再生してコンテンツを検索／再生する場合を示す図である。
【図６】記録媒体に記録された識別情報を読み出してコンテンツを再生する際の説明
【図７】従来のコンテンツ再生装置の概要を示す図である。
【図８】従来のコンテンツ再生装置のコンテンツの記憶時と再生時の説明を行うためのフローチャートを示す図であり、（Ａ）は記憶時、（Ｂ）は再生時を示す図である。
【符号の説明】
【００４７】
１・・・コンテンツ再生装置、２・・・コンテンツ記憶装置（コンテンツ記録手段）、３・・・識別情報検索部(検索手段)、４・・・検索抽出部、５・・・再生部(再生手段)、６・・・識別情報記録部（記録手段）、７・・・表示部、１０・・・パソコン、１１・・・記録媒体記録再生部、１１ａ・・・記録媒体（着脱可能な記録媒体）、Ａ１、Ａ２、Ｂ、Ｃ・・・コンテンツ
【図１】
2007294025.tif 000003
【図２】
2007294025.tif 000004
【図３】
2007294025.tif 000005
【図４】
2007294025.tif 000006
【図５】
2007294025.tif 000007
【図６】
2007294025.tif 000008
【図７】
2007294025.tif 000009
【図８】
2007294025.tif 000010